(57)【要約】【課題】撮影装置の設定内容や機器の状態を簡単に確認する。【解決手段】ユーザによりデジタルカメラ１０の操作部１１１の設定確認ボタンが押下され、デジタルカメラ１０のステータス情報が要求されると（ステップＳ１）、メモリ１０８の各領域から各ステータス情報が収集される（ステップＳ２）。そして、収集されたステータス情報がタグで記述された印字可能なデータ（プリントデータ）に変換され（ステップＳ３）、メモリ１０８に格納される。続いて、プリントデータがプリンタ２０に送信され、印刷が要求される（ステップＳ４）。そして、プリンタ２０によりデジタルカメラ１０からプリントデータが受信されると（ステップＳ５）、プリントデータに基づいて、プリンタ部２０３によりデジタルカメラ１０のステータス情報が印刷される（ステップＳ６）。【選択図】  図４
2004297294.tif 000002
【特許請求の範囲】
【請求項１】
撮影したデータを記録する記録部と、
撮影装置を動作させるための設定情報及び撮影装置の状態を表す情報のうち少なくとも一つを含むステータス情報を印字装置において印字可能なデータに変換する変換部と、
前記印字可能なデータを印字装置に送信する送信部と、
を備えることを特徴とする撮影装置。
【請求項２】
前記印字可能なデータがタグを用いて記述されていることを特徴とする請求項１に記載の撮影装置。
【請求項３】
前記印字可能なデータが、前記撮影装置により撮影され、記録される画像データと同じ画像形式であることを特徴とする請求項１に記載の撮影装置。
【請求項４】
前記画像形式はＪＰＥＧ形式であることを特徴とする請求項３に記載の撮影装置。
【請求項５】
前記印字装置側からのデータ送信要求信号を受信する受信部を備え、
前記データ送信要求信号に応じて、前記変換部は、前記ステータス情報を印字可能なデータに変換し、前記送信部は、前記印字可能なデータを前記印字装置に送信することを特徴とする請求項１〜４のいずれか一項に記載の撮影装置。
【請求項６】
撮影したデータを記録する記録部と、撮影装置を動作させるための設定情報及び撮影装置の状態を表す情報のうち少なくとも一つを含むステータス情報を印字装置において印字可能なデータに変換する変換部と、前記印字可能なデータを印字装置に送信する送信部と、を備える撮影装置と、
前記撮影装置から送信された印字可能なデータを出力する印字装置と、
から構成される印字システムであって、
前記印字装置は、前記撮影装置からの印字命令により、前記印字可能なデータを出力することを特徴とする印字システム。
【請求項７】
前記印字可能なデータがタグを用いて記述されていることを特徴とする請求項６に記載の印字システム。
【請求項８】
前記印字可能なデータが、前記撮影装置により撮影され、記録される画像データと同じ画像形式であることを特徴とする請求項６に記載の印字システム。
【請求項９】
前記画像形式はＪＰＥＧ形式であることを特徴とする請求項８に記載の印字システム。
【請求項１０】
前記撮影装置は、前記印字装置側からのデータ送信要求信号を受信する受信部を備え、
前記データ送信要求信号に応じて、前記変換部は、前記ステータス情報を印字可能なデータに変換し、前記送信部は、前記印字可能なデータを前記印字装置に送信することを特徴とする請求項６〜９のいずれか一項に記載の印字システム。
【発明の詳細な説明】
【０００１】
【発明の属する技術分野】
本発明は、撮影装置及び印字システムに関する。
【０００２】
【従来の技術】
近年、デジタルカメラ等の撮影装置は、高機能化、低価格化が進み、急速に普及しつつある。デジタルカメラは、撮影画像をデジタルデータとして得ることができるため、撮影画像をデジタルカメラの表示モニタに表示したり、メモリカード等の記録媒体に保存したりすることが可能である。
【０００３】
また、デジタルカメラとＰＣ（Ｐｅｒｓｏｎａｌ  Ｃｏｍｐｕｔｅｒ）を接続し、デジタルカメラで撮影された画像をＰＣに送信し、ＰＣにおいて、撮影画像に対するデータ処理を行って、モニタに表示したり、プリンタからプリントアウトしたりすることが可能になっている。最近では、デジタルカメラとプリンタを直接接続することによって、デジタルカメラで撮影された画像を、ＰＣを介することなくプリント可能な画像形成システムが実現されつつある（例えば、特許文献１参照。）。
【０００４】
また、複写機やプリンタ、ＦＡＸでは、自己診断機能として、機器の設定内容をプリントアウトする機能が広く知られている（例えば、特許文献２参照。）。この機能により、ユーザは機器の設定内容を確認することができる。
【０００５】
【特許文献１】
特開平１１−２７５５０１号公報
【特許文献２】
特開平６−２２７０９７号公報
【０００６】
【発明が解決しようとする課題】
しかし、デジタルカメラ等の撮影装置は、プリント機能を持たないため、自己の設定内容を印刷することができなかった。そのため、デジタルカメラの露出モードやＡＦ（ＡｕｔｏＦｏｃｕｓ）モード、解像度や画質（記録媒体に記録する画像データの圧縮率）等の設定項目毎に、表示モニタに表示される設定画面において設定内容を確認しなければならず、煩雑な作業となっていた。設定項目が誤って設定されている状態で撮影が行われた場合には、ユーザが望む状態での撮影ができず、撮影し直さなければならなかったり、シャッターチャンスを逃してしまったりすることがあった。デジタルカメラが多機能化されるに従って、設定項目も増加しており、誤設定を防ぐことが必要である。また、電池の充電不足等により、すぐ使えなくなるようなことがよく起こり、予防手段が必要である。
【０００７】
本発明は、撮影装置の設定内容や機器の状態を簡単に確認することができる撮影装置及び印字システムを提供することを課題とする。
【０００８】
【課題を解決するための手段】
上記の課題を解決するための請求項１に記載の発明は、撮影したデータを記録する記録部と、撮影装置を動作させるための設定情報及び撮影装置の状態を表す情報のうち少なくとも一つを含むステータス情報を印字装置において印字可能なデータに変換する変換部と、前記印字可能なデータを印字装置に送信する送信部と、を備えることを特徴とする撮影装置である。
【０００９】
請求項１に記載の発明によれば、撮影装置のステータス情報を印字可能なデータに変換後、印字装置に送信するので、印字装置により撮影装置のステータス情報を印刷することができる。したがって、ユーザは撮影装置の設定内容や機器の状態を簡単に確認することができる。
【００１０】
請求項２に記載の発明は、前記印字可能なデータがタグを用いて記述されていることを特徴とする請求項１に記載の撮影装置である。
【００１１】
請求項２に記載の発明によれば、印字可能なデータがタグを用いて記述されているので、各情報が属するカテゴリを明示することができる。したがって、各情報が何を意味する情報なのかを印字装置に容易に判断させることができる。
【００１２】
請求項３に記載の発明は、前記印字可能なデータが、前記撮影装置により撮影され、記録される画像データと同じ画像形式であることを特徴とする請求項１に記載の撮影装置である。
【００１３】
請求項３に記載の発明によれば、印字可能なデータが、撮影装置により撮影され、記録される画像データと同じ画像形式で生成されるので、印字可能なデータを、画像データと同様の伝送形式で送信することができる。また、印字装置は、印字可能なデータを、画像データと同様に印刷することができる。
【００１４】
請求項４に記載の発明は、前記画像形式はＪＰＥＧ形式であることを特徴とする請求項３に記載の撮影装置である。
【００１５】
請求項４に記載の発明によれば、印字可能なデータがＪＰＥＧ（Ｊｏｉｎｔ  Ｐｈｏｔｏｇｒａｐｈｉｃ  Ｅｘｐｅｒｔｓ  Ｇｒｏｕｐ）形式で生成されるので、印字可能なデータを、画像データと同様の伝送形式で送信することができる。また、ＪＰＥＧ形式は、他の画像形式と比較して、圧縮率が高いため、撮影装置及び印字装置の負荷を軽減させることができる。
【００１６】
請求項５に記載の発明は、前記印字装置側からのデータ送信要求信号を受信する受信部を備え、前記データ送信要求信号に応じて、前記変換部は、前記ステータス情報を印字可能なデータに変換し、前記送信部は、前記印字可能なデータを前記印字装置に送信することを特徴とする請求項１〜４のいずれか一項に記載の撮影装置である。
【００１７】
請求項５に記載の発明によれば、印字装置からの要求に応じて、撮影装置のステータス情報を印字可能なデータに変換して、印字装置に送信することができる。したがって、印字装置側から撮影装置のステータス情報の自動取込が可能となる。
【００１８】
請求項６に記載の発明は、撮影したデータを記録する記録部と、撮影装置を動作させるための設定情報及び撮影装置の状態を表す情報のうち少なくとも一つを含むステータス情報を印字装置において印字可能なデータに変換する変換部と、前記印字可能なデータを印字装置に送信する送信部と、を備える撮影装置と、前記撮影装置から送信された印字可能なデータを出力する印字装置と、から構成される印字システムであって、前記印字装置は、前記撮影装置からの印字命令により、前記印字可能なデータを出力することを特徴とする印字システムである。
【００１９】
請求項６に記載の発明によれば、撮影装置は、撮影装置のステータス情報を印字可能なデータに変換後、印字装置に送信するので、印字装置により撮影装置のステータス情報を印刷することができる。したがって、ユーザは撮影装置の設定内容や機器の状態を簡単に確認することができる。
【００２０】
請求項７に記載の発明は、前記印字可能なデータがタグを用いて記述されていることを特徴とする請求項６に記載の印字システムである。
【００２１】
請求項７に記載の発明によれば、印字可能なデータがタグを用いて記述されているので、各情報が属するカテゴリを明示することができる。したがって、各情報が何を意味する情報なのかを印字装置に容易に判断させることができる。
【００２２】
請求項８に記載の発明は、前記印字可能なデータが、前記撮影装置により撮影され、記録される画像データと同じ画像形式であることを特徴とする請求項６に記載の印字システムである。
【００２３】
請求項８に記載の発明によれば、印字可能なデータが、撮影装置により撮影され、記録される画像データと同じ画像形式で生成されるので、撮影装置は、印字可能なデータを、画像データと同様の伝送形式で送信することができる。また、印字装置は、印字可能なデータを、画像データと同様に印刷することができる。
【００２４】
請求項９に記載の発明は、前記画像形式はＪＰＥＧ形式であることを特徴とする請求項８に記載の印字システムである。
【００２５】
請求項９に記載の発明によれば、印字可能なデータがＪＰＥＧ形式で生成されるので、撮影装置は、印字可能なデータを、画像データと同様の伝送形式で送信することができる。また、ＪＰＥＧ形式は、他の画像形式と比較して、圧縮率が高いため、撮影装置及び印字装置の負荷を軽減させることができる。
【００２６】
請求項１０に記載の発明は、前記撮影装置は、前記印字装置側からのデータ送信要求信号を受信する受信部を備え、前記データ送信要求信号に応じて、前記変換部は、前記ステータス情報を印字可能なデータに変換し、前記送信部は、前記印字可能なデータを前記印字装置に送信することを特徴とする請求項６〜９のいずれか一項に記載の印字システムである。
【００２７】
請求項１０に記載の発明によれば、撮影装置は、印字装置からの要求に応じて、撮影装置のステータス情報を印字可能なデータに変換して、印字装置に送信することができる。したがって、印字装置側から撮影装置のステータス情報の自動取込が可能となる。
【００２８】
【発明の実施の形態】
以下、図面を参照して本発明の実施の形態を詳細に説明する。ただし、発明の範囲は、図示例に限定されない。
【００２９】
［第１の実施の形態］
図１〜図５を参照して、本発明の第１の実施の形態について説明する。
図１に、第１の実施の形態におけるステータス情報印字システム１の構成を示す。図１に示すように、ステータス情報印字システム１は、撮影装置であるデジタルカメラ１０と、印字装置であるプリンタ２０と、から構成され、デジタルカメラ１０と、プリンタ２０は、ケーブル３０を介して接続される。
【００３０】
（デジタルカメラ１０の構成）
図２に、デジタルカメラ１０の内部構成を示す。デジタルカメラ１０は、図２に示すように、レンズ１０１、ＣＣＤ（Ｃｈａｒｇｅ  Ｃｏｕｐｌｅｄ  Ｄｅｖｉｃｅ）１０２、Ａ／Ｄ変換器１０３、プロセッサ１０４、無線通信制御部１０５、アンテナ１０６、外部記録媒体１０７、メモリ１０８、制御部１０９、表示部１１０、操作部１１１、電源部１１２、有線通信部１１３等を備えて構成される。
【００３１】
ＣＣＤ１０２は、レンズ１０１を介して入射された撮影画像を電気信号（アナログ信号）に光電変換する。Ａ／Ｄ変換器１０３は、ＣＣＤ１０２で得られた電気信号（アナログ信号）をデジタル信号に変換する。
【００３２】
プロセッサ１０４は、Ａ／Ｄ変換器１０３や、無線通信制御部１０５から入力されたデータに対して圧縮処理を施す。また、プロセッサ１０４は、外部記録媒体１０７に記録されているデータに対して伸長処理を施す。
【００３３】
無線通信制御部１０５は、アンテナ１０６を介して、外部機器との無線による通信を制御する。無線通信方式としては、例えば、赤外線を利用したＩｒＤＡ（Ｉｎｆｒａｒｅｄ  Ｄａｔａ  Ａｓｓｏｃｉａｔｉｏｎ）方式、ＩＥＥＥ８２０．１１ｘ（ここでｘはａ，ｂが現在規格化されている。）、Ｂｌｕｅｔｏｏｔｈ方式、非接触で近接して情報を伝達する電磁誘導方式等がある。
【００３４】
外部記録媒体１０７は、撮影したデータを記録する記録部であり、フラッシュメモリ等の半導体メモリが着脱可能な構成になっている。
【００３５】
メモリ１０８は、制御部１０９により実行される各種制御プログラムや、当該制御プログラムの実行時に必要なデータを格納する。
【００３６】
また、メモリ１０８には、当該デジタルカメラ１０内の設定状態を表すステータス情報が取得可能な態様で格納されている。ここで、ステータス情報とは、撮影装置であるデジタルカメラ１０を動作させるための設定情報や、デジタルカメラ１０の状態を表す情報の二つに大きく分類される。デジタルカメラ１０を動作させるための設定情報としては、例えば、撮影モード情報、データ情報、通信設定情報、等の情報がある。これらの情報は、メモリ１０８内に各々設けられた専用領域に格納されている。
【００３７】
撮影モード情報領域には、例えば、露出モード（自動、絞り優先、シャッター優先）、ホワイトバランス、ストロボ、ＡＦモード、使用レンズ、電子ズーム等の設定内容が格納されている。
【００３８】
データ情報領域には、例えば、解像度、データモード（ＲＡＷ、ＪＰＥＧ、ＴＩＦ、ビット数等）等の設定内容が格納されている。なお、これらのステータス情報は、撮影装置の製造者や機種毎に異なるため、本実施の形態の設定内容に限定されるものではない。また、ＲＡＷデータモードとは、デジタルカメラ１０がＣＣＤ１０２から得られた情報をそのまま記録するデータモードを表している。
【００３９】
デジタルカメラ１０には、ＵＳＢ（Ｕｎｉｖｅｒｓａｌ  Ｓｅｒｉａｌ  Ｂｕｓ）やＩＥＥＥ１３９４等を用いて直接ＰＣと通信を行う機能の他に、ＬＡＮ（Ｌｏｃａｌ  Ａｒｅａ  Ｎｅｔｗｏｒｋ）や電話回線を用いてＬＡＮやＷＡＮ（Ｗｉｄｅ  Ａｒｅａ  Ｎｅｔｗｏｒｋ）等に直接接続する機能を有しているものもあり、その場合、通信設定情報領域には、通信設定内容が格納されている。例えば、無線ＬＡＮや有線ＬＡＮを用いてＴＣＰ／ＩＰの通信プロトコルでインターネットに接続する場合のデジタルカメラ１０側のホスト名、ＩＰアドレス、サブネットマスク、デフォルトゲートウェイ、ＤＮＳ（Ｄｏｍａｉｎ  Ｎａｍｅ  Ｓｙｓｔｅｍ）サーバ、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サービスの利用、インターネットプロバイダへのユーザＩＤ、パスワードに関する情報や、モデム機能を用いて接続する場合の接続先の電話番号（公衆回線、ＩＳＤＮ、ＰＨＳ、携帯電話等）等が含まれていてもよい。これらの情報は、通常ＰＣで外部との通信に使用されている設定内容と同様の情報である。
【００４０】
その他、メモリ１０８には、デジタルカメラ１０を動作させるための設定情報として、ＤＰＯＦ（Ｄｉｇｉｔａｌ  Ｐｒｉｎｔ  Ｏｒｄｅｒ  Ｆｏｒｍａｔ）設定、ＤＣＦ（Ｄｅｓｉｇｎ  ｒｕｌｅ  ｆｏｒ  Ｃａｍｅｒａ  Ｆｉｌｅ  ｓｙｓｔｅｍ）設定、ＥＸＩＦ（Ｅｘｃｈａｎｇｅａｂｌｅ  Ｉｍａｇｅ  Ｆｉｌｅ  Ｆｏｒｍａｔ）設定、ＰＩＭ（Ｐｒｉｎｔ  Ｉｍａｇｅ  Ｍａｔｃｈｉｎｇ）設定、また、デジタルカメラ１０の状態を表す情報として、通常起動時に行われる自己診断テストの結果や累積シャッター数、電池容量等の情報が格納されている。
【００４１】
制御部１０９は、メモリ１０８に格納された制御プログラムに従って、デジタルカメラ１０の各部を統括的に制御する。
【００４２】
制御部１０９は、メモリ１０８に格納されているステータス情報をプリンタ２０において印字可能なデータ（以下、プリントデータという。）に変換する変換部を含んでいる。また、制御部１０９は、デジタルカメラ１０に有線接続されたプリンタ２０にステータス情報の印刷を要求する（図４参照。）。
【００４３】
また、制御部１０９は、外部記録媒体１０７に記録された撮影画像の印刷を、デジタルカメラ１０に有線接続されたプリンタ２０に要求する。
【００４４】
表示部１１０は、ＬＣＤ（Ｌｉｑｕｉｄ  Ｃｒｙｓｔａｌ  Ｄｉｓｐｌａｙ）やＥＬ（Ｅｌｅｃｔｒｏ  Ｌｕｍｉｎｅｓｃｅｎｔ）ディスプレイ、ＬＥＤ（Ｌｉｇｈｔ  Ｅｍｉｔｔｉｎｇ  Ｄｉｏｄｅ）等を備え、制御部１０９から入力される表示制御信号に従って、所要の表示処理を行う。また、表示部１１０は、レンズ１０１を介して入力された撮影画像を連続的に表示するファインダとしての機能も有する。
【００４５】
操作部１１１は、主電源ボタン、レリーズボタン、再生ボタン、モード切替ボタン、カーソルボタン、決定ボタン、設定確認ボタン等により構成され、ボタンの押下による操作信号を制御部１０９に出力する。
【００４６】
電源部１１２は、電池等により構成され、デジタルカメラ１０を構成する各部に電力を供給する。
【００４７】
有線通信部１１３は、外部機器とケーブルを介したデータ通信を行うためのインターフェースを備える。例えば、有線通信部１１３は、ＩＥＥＥ１３９４やＵＳＢ（Ｕｎｉｖｅｒｓａｌ  Ｓｅｒｉａｌ  Ｂｕｓ）等により通信を行うためのインターフェースを備える。
【００４８】
（プリンタ２０の構成）
図３にプリンタ２０の内部構成を示す。プリンタ２０は、図３に示すように、アンテナ２０１、無線通信制御部２０２、プリンタ部２０３、操作部２０４、有線通信部２０５、メモリ２０６、表示部２０７、制御部２０８等を備えて構成される。
【００４９】
無線通信制御部２０２は、アンテナ２０１を介して、外部機器との無線による通信を制御する。無線通信方式としては、例えば、赤外線を利用したＩｒＤＡ方式、ＩＥＥＥ８２０．１１ｘ、Ｂｌｕｅｔｏｏｔｈ方式、電磁誘導方式、等がある。
【００５０】
プリンタ部２０３は、制御部２０８から入力される印刷制御信号に従って、所定の印刷方式（電子写真方式、インクジェット方式、感熱方式、熱転写方式、昇華熱転写方式等）で、印刷用紙に印刷出力する。
【００５１】
操作部２０４は、数字ボタンやスタートボタン、カメラ設定確認ボタン等、各種機能ボタン等の操作ボタンを備えており、これらのボタン操作による操作信号を制御部２０８に出力する。なお、操作部２０４は、表示部２０７のＬＣＤの表示画面上を覆うように設けられたタッチパネルを含んだ構成とし、電磁誘導式、磁気歪式、感圧式等の座標読み取り原理でタッチ指示された座標を検出し、検出した座標を位置信号として制御部２０８に出力することとしてもよい。
【００５２】
有線通信部２０５は、外部機器とケーブルを介したデータ通信を行うためのインターフェースを備える。例えば、有線通信部２０５は、ＩＥＥＥ１３９４やＵＳＢ等により通信を行うためのインターフェースを備える。
【００５３】
メモリ２０６は、制御部２０８により実行される各種制御プログラムや、当該制御プログラムの実行時に必要なデータを格納する。
【００５４】
表示部２０７は、ＬＣＤ等の表示画面を備え、制御部２０８から入力される表示制御信号に従って、所要の表示処理を行う。
【００５５】
制御部２０８は、メモリ２０６に格納された制御プログラムに従って、プリンタ２０の各部を統括的に制御する。
【００５６】
制御部２０８は、プリンタ２０に有線接続されたデジタルカメラ１０から受信するステータス情報や撮影画像の印刷要求に従って、プリンタ部２０３に印刷を実行させる（図４参照。）。
【００５７】
次に、第１の実施の形態における動作を説明する。
図４を参照して、ステータス情報印字システム１のデジタルカメラ１０とプリンタ２０によって実行されるステータス情報プリント処理１について説明する。
【００５８】
まず、図４に示すように、ユーザによりデジタルカメラ１０の操作部１１１の設定確認ボタンが押下され、デジタルカメラ１０のステータス情報が要求される（ステップＳ１）。次に、メモリ１０８の各領域から各ステータス情報が収集される（ステップＳ２）。そして、収集されたステータス情報がタグで記述されたプリントデータに変換され（ステップＳ３）、メモリ１０８に格納される。
【００５９】
ここで、タグ形式として、ＨＴＭＬ（ＨｙｐｅｒＴｅｘｔ  Ｍａｒｋｕｐ  Ｌａｎｇｕａｇｅ）形式で記述されるステータス情報の一例を示す。図５に示すように、＜ＤＩＶ＞＜／ＤＩＶ＞で示されるタグの間に必要な情報が記述されており、例えば、メーカー名はＫＯＮＩＣＡで、機種名はＫＤ５００Ｚ、日付は２００３／０２／２６  １６：２９：３１．１等のように、ステータス情報が必要なだけ記述されていく。なお、設定項目のごく一部について解説したが、本発明のポイントは一つ一つの項目の内容にあるのではなく、このようなステータス情報の記述形式にあるため、以下の説明は省略する。
【００６０】
続いて、図４に示すように、プリントデータがデジタルカメラ１０の有線通信部１１３を通じてプリンタ２０に送信され、印刷が要求される（ステップＳ４）。
【００６１】
次に、プリンタ２０の有線通信部２０５によりデジタルカメラ１０からプリントデータが受信されると（ステップＳ５）、プリントデータに基づいて、プリンタ部２０３によりデジタルカメラ１０のステータス情報が印刷される（ステップＳ６）。
以上により、ステータス情報プリント処理１が終了する。
【００６２】
以上のように、第１の実施の形態のステータス情報印字システム１によれば、デジタルカメラ１０は、デジタルカメラ１０のステータス情報をプリントデータに変換後、プリンタ２０に送信するので、プリンタ２０は、デジタルカメラ１０のステータス情報を印刷することができる。したがって、ユーザはデジタルカメラ１０の設定内容や機器の状態を簡単に確認することができる。
【００６３】
また、プリントデータがタグを用いて記述されているので、各情報が属するカテゴリを明示することができる。したがって、各情報が何を意味する情報なのかをプリンタ２０に容易に判断させることができる。
【００６４】
なお、第１の実施の形態においては、デジタルカメラ１０とプリンタ２０間のデータの送受信をケーブル（有線）で行うこととしたが、無線で行うこととしてもよい。
【００６５】
また、プリンタ２０により印刷されるデジタルカメラ１０の状態を表す情報として、必要に応じて、ＣＣＤ１０２にほこりが付着している状態を計測した結果や、レリーズボタンの押下不可、電圧不足、メモリエラー、通信異常等の機能障害、メモリ１０８や外部記録媒体１０７に記憶されているデータの読込可否を診断するメモリ診断等の情報が含まれることとしてもよい。これにより、デジタルカメラ１０の状態を表す情報を簡単に確認することができる。
【００６６】
［第２の実施の形態］
次に、図６及び図７を参照して、本発明の第２の実施の形態について説明する。
図６に、第２の実施の形態におけるステータス情報印字システム２の構成を示す。図６に示すように、ステータス情報印字システム２は、デジタルカメラ１０ａと、プリンタ２０ａと、から構成され、デジタルカメラ１０ａと、プリンタ２０ａは、無線により通信を行う。
【００６７】
ステータス情報印字システム２におけるデジタルカメラ１０ａの構成は、ステータス情報印字システム１におけるデジタルカメラ１０の構成と同一であるものとし、デジタルカメラ１０の各部と同一の符号を付して、その図示及び構成説明を省略する。
【００６８】
ステータス情報印字システム２におけるプリンタ２０ａの構成は、ステータス情報印字システム１におけるプリンタ２０の構成と同一であるものとし、プリンタ２０の各部と同一の符号を付して、その図示及び構成説明を省略する。
【００６９】
次に、第２の実施の形態における動作を説明する。
図７を参照して、ステータス情報印字システム２のデジタルカメラ１０ａとプリンタ２０ａによって実行されるステータス情報プリント処理２について説明する。
【００７０】
まず、図７に示すように、ユーザによりプリンタ２０ａの操作部２０４のカメラ設定確認ボタンが押下されると（ステップＳ１１）、無線通信制御部２０２によりデータ送信要求信号がデジタルカメラ１０ａに送信される（ステップＳ１２）。
【００７１】
デジタルカメラ１０ａの無線通信制御部１０５によりデータ送信要求信号が受信されると（ステップＳ１３）、このデータ送信要求信号に応じて、メモリ１０８の各領域から各ステータス情報が収集される（ステップＳ１４）。そして、収集されたステータス情報がＪＰＥＧ形式のプリントデータに変換され（ステップＳ１５）、メモリ１０８に格納される。
【００７２】
なお、ステータス情報は、デジタルカメラ１０ａの撮影操作によって記録が行われる画像データと同一の形式で外部記録媒体１０７に記録され、通常の画像データと同様の印刷手続きにより印刷されることとしてもよい。また、画像形式もＪＰＥＧ形式に限定されず、デジタルカメラ１０ａで扱える形式でかまわないが、ＪＰＥＧ形式は、他の形式に比較し、圧縮率が高いことから機器の負荷を軽減させることが可能である。
【００７３】
続いて、プリントデータがデジタルカメラ１０ａの無線通信制御部１０５を通じてプリンタ２０ａに送信され、印刷が要求される（ステップＳ１６）。
【００７４】
次に、図７に示すように、プリンタ２０ａの無線通信制御部２０２によりデジタルカメラ１０ａからプリントデータが受信されると（ステップＳ１７）、プリントデータに基づいて、プリンタ部２０３によりデジタルカメラ１０ａのステータス情報が印刷される（ステップＳ１８）。
以上により、ステータス情報プリント処理２が終了する。
【００７５】
以上のように、第２の実施の形態のステータス情報印字システムに２によれば、デジタルカメラ１０ａは、プリンタ２０ａからの要求に応じて、デジタルカメラ１０ａのステータス情報をプリントデータに変換後、プリンタ２０ａに送信することができる。したがって、プリンタ２０ａ側からデジタルカメラ１０ａのステータス情報の自動取込が可能となり、ユーザはデジタルカメラ１０の設定内容や機器の状態を簡単に確認することができる。
【００７６】
なお、第２の実施の形態においては、デジタルカメラ１０ａとプリンタ２０ａ間のデータの送受信を無線で行うこととしたが、有線で行うこととしてもよい。
【００７７】
［第３の実施の形態］
次に、図８及び図９を参照して、本発明の第３の実施の形態について説明する。
図８に、第３の実施の形態におけるステータス情報印字システム３の構成を示す。図８に示すように、ステータス情報印字システム３は、デジタルカメラ１０ｂと、プリンタ２０ｂと、から構成され、デジタルカメラ１０ｂと、プリンタ２０ｂは、ケーブル３０ｂを介して接続される。
【００７８】
ステータス情報印字システム３におけるデジタルカメラ１０ｂの構成は、ステータス情報印字システム１におけるデジタルカメラ１０の構成と同一であるものとし、デジタルカメラ１０の各部と同一の符号を付して、その図示及び構成説明を省略する。
【００７９】
ステータス情報印字システム３におけるプリンタ２０ｂの構成は、ステータス情報印字システム１におけるプリンタ２０の構成と同一であるものとし、プリンタ２０の各部と同一の符号を付して、その図示及び構成説明を省略する。
【００８０】
次に、第３の実施の形態における動作を説明する。
図９を参照して、ステータス情報印字システム３のデジタルカメラ１０ｂとプリンタ２０ｂによって実行される、エラー情報プリント処理について説明する。
【００８１】
ここで、デジタルカメラ１０ｂにおいて、プリンタ２０ｂと接続される前に、エラーが発生していたこととする。図９（ａ）に示すように、デジタルカメラ１０ｂの撮影中に（ステップＳ２１）、エラーが発生した場合（ステップＳ２２；ＹＥＳ）、エラーに関する情報（以下、エラー情報という。）が生成され（ステップＳ２３）、デジタルカメラ１０ｂの状態を表す情報としてメモリ１０８に記録される（ステップＳ２４）。
【００８２】
その後、デジタルカメラ１０ｂとプリンタ２０ｂが接続され、図９（ｂ）に示すように、ユーザによりデジタルカメラ１０ｂの操作部１１１の設定確認ボタンが押下され、デジタルカメラ１０ｂのステータス情報が要求される（ステップＳ２５）。次に、メモリ１０８の各領域から各ステータス情報が収集される（ステップＳ２６）。ステータス情報には、撮影時に発生したエラー情報が含まれている。そして、収集されたステータス情報がタグで記述されたプリントデータに変換され（ステップＳ２７）、メモリ１０８に格納される。
【００８３】
続いて、エラー情報を含むプリントデータがデジタルカメラ１０ｂの有線通信部１１３を通じてプリンタ２０ｂに送信され、印刷が要求される（ステップＳ２８）。そして、プリンタ２０ｂの有線通信部２０５によりデジタルカメラ１０ｂからプリントデータが受信され（ステップＳ２９）、プリンタ部２０３によりエラー情報を含むステータス情報が印刷される（ステップＳ３０）。
以上により、エラー情報プリント処理が終了する。
【００８４】
以上のように、第３の実施の形態のステータス情報印字システム３によれば、デジタルカメラ１０ｂで発生したエラー情報をプリンタ２０ｂにより印刷することができるので、エラーが発生したことをユーザに通知することができる。
【００８５】
なお、第３の実施の形態においては、エラー情報を含むステータス情報がタグで記述される場合を示したが、ＪＰＥＧ形式等の画像データと同じ画像形式で生成されることとしてもよい。
【００８６】
また、エラー情報をプリンタ２０ｂで印刷するだけでなく、デジタルカメラ１０ｂ側にランプ、液晶パネル、ブザー音等のエラーに対する警告表示手段を備え、ランプを点灯させたり、液晶パネルに表示させたり、ブザー音を発したりして、ユーザにエラーを通知することとしてもよい。
【００８７】
また、第３の実施の形態においては、デジタルカメラ１０ｂ側のエラー情報をプリンタ２０ｂで印刷することとしたが、ペーパージャム、インク切れ等のプリンタ２０ｂ側のエラーに関する情報をデジタルカメラ１０ｂの表示部１１０に表示させることとしてもよい。
【００８８】
また、第３の実施の形態においては、デジタルカメラ１０ｂとプリンタ２０ｂ間のデータの送受信をケーブル（有線）で行うこととしたが、無線で行うこととしてもよい。
【００８９】
なお、以上の各実施の形態においては、デジタルカメラのステータス情報をプリンタで印刷することとしたが、出力形態はプリントアウトに限定されず、ディスプレイに表示することとしてもよい。例えば、デジタルカメラのプリント業務を行うデジタルミニラボが設置された写真店の店頭にて、ディスプレイを備えた受付端末にデジタルカメラを接続し、デジタルカメラのステータス情報を表示可能なデータに変換後、受付端末に送信して、受付端末のディスプレイに表示させることも可能である。
【００９０】
また、デジタルカメラとプリンタの通信中にエラーが発生した場合、エラー情報がデジタルカメラからプリンタに送信され、プリンタによりエラー情報が印刷されることとしてもよい。この場合、例えば、「デジタルカメラとの通信中にエラーが発生し、プリント処理を中止しました。」等の印字を行うことにより、ユーザにエラーが発生したことを通知することができる。
【００９１】
【発明の効果】
請求項１に記載の発明によれば、撮影装置のステータス情報を印字可能なデータに変換後、印字装置に送信するので、印字装置により撮影装置のステータス情報を印刷することができる。したがって、ユーザは撮影装置の設定内容や機器の状態を簡単に確認することができる。
【００９２】
請求項２に記載の発明によれば、印字可能なデータがタグを用いて記述されているので、各情報が属するカテゴリを明示することができる。したがって、各情報が何を意味する情報なのかを印字装置に容易に判断させることができる。
【００９３】
請求項３に記載の発明によれば、印字可能なデータが、撮影装置により撮影され、記録される画像データと同じ画像形式で生成されるので、印字可能なデータを、画像データと同様の伝送形式で送信することができる。また、印字装置は、印字可能なデータを、画像データと同様に印刷することができる。
【００９４】
請求項４に記載の発明によれば、印字可能なデータがＪＰＥＧ形式で生成されるので、印字可能なデータを、画像データと同様の伝送形式で送信することができる。また、ＪＰＥＧ形式は、他の画像形式と比較して、圧縮率が高いため、撮影装置及び印字装置の負荷を軽減させることができる。
【００９５】
請求項５に記載の発明によれば、印字装置からの要求に応じて、撮影装置のステータス情報を印字可能なデータに変換して、印字装置に送信することができる。したがって、印字装置側から撮影装置のステータス情報の自動取込が可能となる。
【００９６】
請求項６に記載の発明によれば、撮影装置は、撮影装置のステータス情報を印字可能なデータに変換後、印字装置に送信するので、印字装置により撮影装置のステータス情報を印刷することができる。したがって、ユーザは撮影装置の設定内容や機器の状態を簡単に確認することができる。
【００９７】
請求項７に記載の発明によれば、印字可能なデータがタグを用いて記述されているので、各情報が属するカテゴリを明示することができる。したがって、各情報が何を意味する情報なのかを印字装置に容易に判断させることができる。
【００９８】
請求項８に記載の発明によれば、印字可能なデータが、撮影装置により撮影され、記録される画像データと同じ画像形式で生成されるので、撮影装置は、印字可能なデータを、画像データと同様の伝送形式で送信することができる。また、印字装置は、印字可能なデータを、画像データと同様に印刷することができる。
【００９９】
請求項９に記載の発明によれば、印字可能なデータがＪＰＥＧ形式で生成されるので、撮影装置は、印字可能なデータを、画像データと同様の伝送形式で送信することができる。また、ＪＰＥＧ形式は、他の画像形式と比較して、圧縮率が高いため、撮影装置及び印字装置の負荷を軽減させることができる。
【０１００】
請求項１０に記載の発明によれば、撮影装置は、印字装置からの要求に応じて、撮影装置のステータス情報を印字可能なデータに変換して、印字装置に送信することができる。したがって、印字装置側から撮影装置のステータス情報の自動取込が可能となる。
【図面の簡単な説明】
【図１】第１の実施の形態におけるステータス情報印字システム１の構成を示す図である。
【図２】デジタルカメラ１０の内部構成を示すブロック図である。
【図３】プリンタ２０の内部構成を示すブロック図である。
【図４】ステータス情報プリント処理１を示すフローチャートである。
【図５】タグ（ＨＴＭＬ形式）を用いて記述されたプリントデータの例である。
【図６】第２の実施の形態におけるステータス情報印字システム２の構成を示す図である。
【図７】ステータス情報プリント処理２を示すフローチャートである。
【図８】第３の実施の形態におけるステータス情報印字システム３の構成を示す図である。
【図９】エラー情報プリント処理を示すフローチャートである。
【符号の説明】
１，２，３  ステータス情報印字システム
１０，１０ａ，１０ｂ  デジタルカメラ
２０，２０ａ，２０ｂ  プリンタ
３０，３０ｂ  ケーブル
１０１  レンズ
１０２  ＣＣＤ
１０３  Ａ／Ｄ変換器
１０４  プロセッサ
１０５  無線通信制御部
１０６  アンテナ
１０７  外部記録媒体
１０８  メモリ
１０９  制御部
１１０  表示部
１１１  操作部
１１２  電源部
１１３  有線通信部
２０１  アンテナ
２０２  無線通信制御部
２０３  プリンタ部
２０４  操作部
２０５  有線通信部
２０６  メモリ
２０７  表示部
２０８  制御部
【図１】
2004297294.tif 000003
【図２】
2004297294.tif 000004
【図３】
2004297294.tif 000005
【図４】
2004297294.tif 000006
【図５】
2004297294.tif 000007
【図６】
2004297294.tif 000008
【図７】
2004297294.tif 000009
【図８】
2004297294.tif 000010
【図９】
2004297294.tif 000011